(57)【特許請求の範囲】
【請求項１】
基地局と無線通信を行うダイバーシティ機能を備えた無線端末において、
複数の受信ブランチのそれぞれに設けられ、複数の周波数の無線信号を受信できる受信手段と、
コンプレストモードのギャップ区間において、それぞれが異なる周波数の前記無線信号を受信するように前記受信手段を制御する制御手段と、を備え、
前記制御手段は、次の前記ギャップ区間では、前回の前記ギャップ区間の周波数を入れ替えた周波数の前記無線信号を受信するように前記受信手段を制御する、
ことを特徴とする無線端末。
【請求項２】
前記受信手段に対応して設けられ、前記受信手段により受信された前記無線信号を複数の通信方式で受信処理する受信処理手段と、をさらに有し、
前記制御手段は、前記ギャップ区間において、それぞれが異なる通信方式で受信処理をするように前記受信処理手段を制御することを特徴とする請求項１記載の無線端末。
【請求項３】
前記制御手段は、待ち受け時のレベル測定区間において、それぞれが異なる周波数の前記無線信号を受信するように前記受信手段を制御することを特徴とする請求項１記載の無線端末。
【請求項４】
前記受信手段に対応して設けられ、前記受信手段により受信された前記無線信号を複数の通信方式で受信処理する受信処理手段と、をさらに有し、
前記制御手段は、前記レベル測定区間において、それぞれが異なる通信方式で受信処理をするように前記受信処理手段を制御することを特徴とする請求項３記載の無線端末。
【発明の詳細な説明】
【技術分野】
【０００１】
本発明は無線端末に関し、特に基地局と無線通信を行うダイバーシティ機能を備えた無線端末に関する。
【背景技術】
【０００２】
現在、Ｗ−ＣＤＭＡ（Wideband Code Division Multiple Access）では、海外も視野に入れると、使用可能な周波数帯域は２ＧＨｚ帯だけでなく、８００ＭＨｚ帯、１．７ＧＨｚ帯、２．５ＧＨｚ帯など、様々な周波数帯域が割り当てられている。そのため、無線端末には、複数の異なる周波数信号において、例えば、ＳＩＲ（Signal to Interface power Ratio）などのレベル測定（無線品質の測定）を行うものがある。また、Ｗ−ＣＤＭＡやＧＳＭ（Global System for Mobile）などの複数の通信方式が存在し、異なる通信方式へのハンドオーバを行うものがある。【０００３】
図１１は、従来のダイバーシティ機能を有する無線端末のブロック構成図である。図に示すように無線端末は、アンテナ１０１，１１１、ＲＦ（Radio Frequency）１０２，１１２、Ａ／Ｄ（Analog to Digital）１０３，１１３、受信処理部１０４，１１４、制御部１２１、および受信合成処理部１２２を有している。【０００４】
なお、アンテナ１０１、ＲＦ１０２、Ａ／Ｄ１０３、および受信処理部１０４を受信ブランチＡと呼ぶ。また、アンテナ１１１、ＲＦ１１２、Ａ／Ｄ１１３、および受信処理部１１４を受信ブランチＢと呼ぶ。無線端末は、受信ブランチＡと受信ブランチＢとの信号を合成することにより、感度のよい受信信号を得ている（ダイバーシティ機能）。【０００５】
ＲＦ１０２，１１２は、アンテナ１０１，１１１によって受信される無線信号の、所定の周波数の無線信号を受信する。
Ａ／Ｄ１０３，１１３は、ＲＦによって受信された無線信号をアナログ−デジタル変換する。【０００６】
受信処理部１０４，１１４は、無線端末が基地局と通信する通信方式に従って、Ａ／Ｄ１０３，１１３から出力される信号の受信処理（復調処理）を行う。例えば、受信処理部１０４，１１４は、フレームの先頭であるタイミング結果、ＳＩＲなどのレベル測定結果、データの復調結果などを含む受信信号を出力する。通信方式がＷ−ＣＤＭＡであった場合には、Ｗ−ＣＤＭＡの通信方式に従った受信処理を行い、通信方式がＧＳＭであった場合には、ＧＳＭの通信方式に従った受信処理を行う。【０００７】
制御部１２１は、ＲＦ１０２，１１２の無線信号を受信する周波数を制御する。例えば、無線端末が２ＧＨｚ帯の無線信号を受信する場合、制御部１２１は、２ＧＨｚ帯の無線信号を受信するようにＲＦ１０２，１１２を制御する。【０００８】
また、制御部１２１は、受信処理部１０４，１１４の受信処理する通信方式を制御する。例えば、無線端末と基地局とがＷ−ＣＤＭＡの通信方式で通信する場合、制御部１２１は、Ｗ−ＣＤＭＡの通信方式に従った受信処理を行うように受信処理部１０４，１１４を制御する。【０００９】
受信合成処理部１２２は、受信処理部１０４，１１４から出力される受信信号の位相が揃うように調整し、合成する。すなわち、受信合成処理部１２２は、受信ブランチＡの受信信号と、受信ブランチＢの受信信号とを合成し、受信信号の受信感度を高める。【００１０】
次に、図１１の無線端末の通話中におけるレベル測定の動作について説明する。無線端末は、通話中、コンプレスモードにて、異周波、異通信方式のレベル測定を行っている。無線端末は、レベル測定の結果に基づいて、最適な周波数または通信方式で基地局と通信するようにする。【００１１】
図１２は、無線端末のレベル測定の動作を説明する図である。図には、無線端末の受信ブランチＡにおけるレベル測定と受信ブランチＢにおけるレベル測定との動作が示してある。時間軸ｔは図の右方向を向いている。【００１２】
無線端末は、周波数ｆ０Ｈｚ帯で基地局と通信を行っているとする。無線端末は、図に示すコンプレストモードのギャップ区間Ｃ１０１に入ると、異周波のレベル測定を行うため、受信ブランチＡおよび受信ブランチＢにおいて、受信する周波数を切替える。例えば、制御部１２１は、図に示すように周波数ｆ１Ｈｚ帯の周波数の信号を受信できるように、ＲＦ１０２，１１２の受信周波数をｆ１Ｈｚ帯に切替える。【００１３】
無線端末は、周波数ｆ１Ｈｚ帯の引き込みが終わると（受信信号の周波数がｆ１Ｈｚ帯に収束すると）、無線端末は、周波数ｆ１Ｈｚ帯におけるレベル測定を行う。
レベル測定が終わると、図に示すように、元の周波数ｆ０Ｈｚ帯に戻すため、制御部１２１は、周波数ｆ０Ｈｚ帯への切替えを行う。そして、周波数ｆ０Ｈｚ帯での信号の受信が行われる。同様に、次のコンプレストモードのギャップ区間Ｃ１０２では、無線端末は、周波数ｆ２Ｈｚ帯のレベル測定を行う。【００１４】
従来の無線端末は、上述したようにコンプレストモードのギャップ区間Ｃ１０１，Ｃ１０２において、受信ブランチＡ，Ｂの両方を同じ周波数に引き込み、レベル測定を行う。すなわち、図の両矢印Ｄ１０１，Ｄ１０２に示すように、コンプレストモードのギャップ区間Ｃ１０１では、受信ブランチＡ，Ｂの両方で、同じ周波数ｆ１Ｈｚ帯のレベル測定を行っている。また、両矢印Ｄ１０３，Ｄ１０４に示すように、コンプレストモードのギャップ区間Ｃ１０２では、受信ブランチＡ，Ｂの両方で、同じ周波数ｆ２Ｈｚ帯のレベル測定を行っている。【００１５】
次に、無線端末の待ち受け時におけるレベル測定の動作について説明する。無線端末は、待ち受け時でも、待ち受けレベル測定区間において、異周波、異通信方式のレベル測定を行っている。【００１６】
図１３は、無線端末の待ち受け時におけるレベル測定の動作を説明する図である。図には、無線端末の受信ブランチＡにおけるレベル測定と受信ブランチＢにおけるレベル測定との動作が示してある。時間軸ｔは図の右方向を向いている。【００１７】
無線端末は、図に示す待ち受けレベル測定区間Ｅ１０１に入ると、異周波のレベル測定を行うため、受信ブランチＡおよび受信ブランチＢにおいて、受信する周波数を切替える。例えば、制御部１２１は、周波数ｆ１Ｈｚ帯の周波数の信号を受信できるように、ＲＦ１０２，１１２の受信周波数をｆ１Ｈｚ帯に切替える。【００１８】
無線端末は、周波数ｆ１Ｈｚ帯の引き込みが終わると、周波数ｆ１Ｈｚ帯の信号におけるレベル測定を行う。続いて、制御部１２１は、周波数ｆ２Ｈｚ帯の周波数の信号を受信できるように、ＲＦ１０２，１１２の受信周波数をｆ２Ｈｚ帯に切替える。そして、周波数ｆ２Ｈｚ帯の引き込みが終わると、無線端末は、周波数ｆ２Ｈｚ帯の信号におけるレベル測定を行う。【００１９】
次の待ち受けレベル測定区間Ｅ１０２においても、同様に、周波数ｆ１Ｈｚ帯のレベル測定を行い、周波数ｆ２Ｈｚ帯のレベル測定を行う。
従来の無線端末は、上述したように待ち受けレベル測定区間Ｅ１０１，Ｅ１０２において、受信ブランチＡ，Ｂの両方を同じ周波数に引き込み、レベル測定を行う。すなわち、図の両矢印Ｆ１０１，Ｆ１０３、両矢印Ｆ１０２，Ｆ１０４に示すように、待ち受けレベル測定区間Ｅ１０１では、受信ブランチＡ，Ｂの両方で、同じ周波数ｆ１，ｆ２Ｈｚ帯のレベル測定を行っている。また、図の両矢印Ｆ１０５，Ｆ１０７、両矢印Ｆ１０６，Ｆ１０８に示すように、待ち受けレベル測定区間Ｅ１０２では、受信ブランチＡ，Ｂの両方で、同じ周波数ｆ１，ｆ２Ｈｚ帯のレベル測定を行っている。【００２０】
なお、従来、ダイバーシティ装置を有する無線装置において、一方の受信ブランチで通常受信を行い、他方の受信ブランチで信号の測定を行う無線装置が提供されている（例えば、特許文献１参照）。
【特許文献１】特表２００２−５００８３７号公報
【発明の開示】
【発明が解決しようとする課題】
【００２１】
しかし、従来の無線端末では、コンプレストモードの１回のギャップ区間で１個（１種類）の周波数帯しかレベル測定できない。そのため、レベル測定のサンプリングポイントが少なく、無線端末の移動によって、実際のレベル測定の値と異なる場合があるという問題点があった。【００２２】
例えば、図１２の例の場合、無線端末は、コンプレストモードのギャップ区間Ｃ１０１で、周波数ｆ１Ｈｚ帯のレベル測定を行っている。その後、無線端末が移動すると、無線端末の移動先では、周波数ｆ１Ｈｚ帯におけるレベル測定の結果が異なっている場合がある。【００２３】
また、待ち受け時のレベル測定区間では、複数の周波数帯のレベル測定を行う場合、時分割で１種類ずつ測定するため、測定時間が長くなり、待ち受けにおける消費電流が増加するという問題点があった。【００２４】
例えば、図１３の例の場合、無線端末は、待ち受けレベル測定区間Ｅ１０１において、複数の周波数ｆ１，ｆ２Ｈｚ帯のレベル測定を時分割で行っている。そのため、待ち受けレベル測定区間Ｅ１０１の測定時間が長くなる。【００２５】
本発明はこのような点に鑑みてなされたものであり、無線端末の移動による、実際のレベル測定の値との相違を抑制し、待ち受け時のレベル測定区間におけるレベル測定時間を短縮できる無線端末を提供することを目的とする。
【課題を解決するための手段】
【００２６】
本発明では上記問題を解決するために、図１に示すような基地局と無線通信を行うダイバーシティ機能を備えた無線端末において、複数の受信ブランチ３ａ，３ｂのそれぞれに設けられ、複数の周波数の無線信号を受信できる受信手段１ａ，１ｂと、コンプレストモードのギャップ区間５ａ，５ｂにおいて、それぞれが異なる周波数ｆ１，ｆ２の無線信号を受信するように受信手段１ａ，１ｂを制御する制御手段２と、を有することを特徴とする無線端末が提供される。【００２７】
このような無線端末によれば、コンプレストモードのギャップ区間５ａ，５ｂにおいて、異なる周波数ｆ１，ｆ２の無線信号を受信する。これにより、受信した無線信号に基づいて算出するレベル測定のサンプリングポイントが増加する。【００２８】
また、本発明によれば、制御手段は、待ち受け時のレベル測定区間において、それぞれが異なる周波数の無線信号を受信するように受信手段を制御する。
これにより、待ち受け時のレベル測定区間において、異なる周波数のレベル測定を行うことができる。
【発明の効果】
【００２９】
本発明の無線端末では、コンプレストモードのギャップ区間において、異なる周波数の無線信号を受信するようにした。これによって、受信した無線信号に基づいて算出するレベル測定のサンプリングポイントが増加するので、無線端末の移動による、実際のレベル測定の値との相違を抑制することができる。【００３０】
また、待ち受け時のレベル測定区間において、異なる周波数を受信するようにした。これによって、待ち受け時のレベル測定区間におけるレベル測定時間を短縮することができる。【００３１】
本発明の上記および他の目的、特徴および利点は本発明の例として好ましい実施の形態を表す添付の図面と関連した以下の説明により明らかになるであろう。
【図面の簡単な説明】
【００３２】
【図１】無線端末の概要を説明する図である。
【図２】ダイバーシティ機能を有する無線端末のブロック構成図である。
【図３】コンプレストモードにおける無線端末のレベル測定の動作を説明する図である。
【図４】異なる周波数帯域と異なる通信方式とでのレベル測定の動作を説明する図である。
【図５】異なる周波数帯域と異なる通信方式とでのレベル測定の動作を説明する図である。
【図６】無線端末の待ち受け時におけるレベル測定の動作を説明する図である。
【図７】異なる通信方式でのレベル測定の動作を説明する図である。
【図８】異なる周波数帯域と異なる通信方式とでのレベル測定の動作を説明する図である。
【図９】コンプレストモードのギャップ区間での無線端末の動作を示したフローチャートである。
【図１０】待ち受けレベル測定区間での無線端末の動作を示したフローチャートである。
【図１１】従来のダイバーシティ機能を有する無線端末のブロック構成図である。
【図１２】無線端末のレベル測定の動作を説明する図である。
【図１３】無線端末の待ち受け時におけるレベル測定の動作を説明する図である。
【発明を実施するための最良の形態】
【００３３】
以下、本発明の原理を図面を参照して詳細に説明する。
図１は、無線端末の概要を説明する図である。図に示すように無線端末は、受信手段１ａ，１ｂおよび制御手段２を有している。図には、受信手段１ａ，１ｂの無線信号を受信する周波数の遷移状態を示した周波数遷移４ａ，４ｂが示してある。【００３４】
無線端末は、図示していない基地局と無線通信を行う。無線端末は、ダイバーシティ機能を備えており、複数の受信ブランチ３ａ，３ｂを有している。無線端末は、複数の受信ブランチ３ａ，３ｂで受信された無線信号を合成処理することにより、感度のよい無線通信を行う。【００３５】
受信手段１ａ，１ｂは、複数の受信ブランチ３ａ，３ｂのそれぞれに設けられている。受信手段１ａ，１ｂは、複数の周波数の無線信号を受信することができる。例えば、受信手段１ａ，１ｂは、周波数ｆ０，ｆ１，ｆ２の無線信号を受信することができる。【００３６】
制御手段２は、コンプレストモードのギャップ区間において、受信手段１ａ，１ｂがそれぞれ異なる周波数の無線信号を受信するように制御する。
以下、無線端末の動作について説明する。【００３７】
制御手段２は、図の周波数遷移４ａ，４ｂに示すように、通信時、周波数ｆ０の無線信号を受信するように、受信手段１ａ，１ｂを制御する。これにより、各受信ブランチ３ａ，３ｂで、周波数ｆ０の無線信号が受信され、ダイバーシティ機能によって、感度のよい通信を行うことができる。【００３８】
制御手段２は、周波数遷移４ａ，４ｂに示すように、コンプレストモードのギャップ区間５ａに入ると、受信手段１ａ，１ｂがそれぞれ異なる周波数ｆ１，ｆ２の無線信号を受信するように制御する。そして、無線端末は、各周波数ｆ１、ｆ２のレベル測定を行う。【００３９】
制御手段２は、コンプレストモードのギャップ区間５ａでのレベル測定が終わると、周波数遷移４ａ，４ｂに示すように、周波数をｆ０に戻す。
制御手段２は、周波数遷移４ａ，４ｂに示すように、次のコンプレストモードのギャップ区間５ｂに入ると、受信手段１ａ，１ｂがそれぞれ異なる周波数ｆ１，ｆ２の無線信号を受信するように制御する。【００４０】
ところで、従来では、ギャップ区間５ａで、受信手段１ａ，１ｂは同じ周波数ｆ１の無線信号を受信し、ギャップ区間５ｂで同じ周波数ｆ２の無線信号を受信していた。これに対し、図１の無線端末は、ギャップ区間５ａにおいて、異なる周波数ｆ１，ｆ２の無線信号を受信手段１ａ，１ｂで受信し、ギャップ区間５ｂにおいて、異なる周波数ｆ１，ｆ２の無線信号を受信手段１ａ，１ｂで受信する。これより、周波数ｆ１，ｆ２のレベル測定をするサンプリングポイントが、ギャップ区間５ａ，５ｂと増加し、無線端末の移動による、実際のレベル測定の値との相違を抑制することができる。【００４１】
このように、通信装置は、コンプレストモードのギャップ区間において、異なる周波数を受信するようにした。これによって、受信した無線信号に基づいて算出するレベル測定のサンプリングポイントが増加するので、無線端末の移動による、実際のレベル測定の値との相違を抑制することができる。【００４２】
なお、無線端末の待ち受け時におけるレベル測定区間においても、制御手段２は、受信手段１ａ，１ｂがそれぞれ異なる周波数の無線信号を受信するように制御する。
例えば、図のギャップ区間５ａ，５ｂのそれぞれを、待ち受け時のレベル測定区間Ａ，Ｂとする。この場合、制御手段２は、レベル測定区間Ａにおいて、異なる周波数ｆ１，ｆ２の無線信号を受信手段１ａ，１ｂで受信し、レベル測定区間Ｂにおいて、異なる周波数ｆ１，ｆ２の無線信号を受信手段１ａ，１ｂで受信する。【００４３】
従来では、図１３で説明したように、待ち受けレベル測定区間Ｅ１０１において、時分割で周波数ｆ１，ｆ２の無線信号を受信していた。これに対し図１の無線端末は、レベル測定区間Ａにおいて、異なる周波数ｆ１，ｆ２の無線信号を受信手段１ａ，１ｂで受信する。これによって、待ち受け時のレベル測定区間Ａ，Ｂにおけるレベル測定時間を短縮することができる。【００４４】
次に、本発明の実施の形態を図面を参照して詳細に説明する。
図２は、ダイバーシティ機能を有する無線端末のブロック構成図である。図に示すように無線端末は、アンテナ１１，２１、ＲＦ（Radio Frequency）１２，２２、Ａ／Ｄ（Analog to Digital）１３，２３、受信処理部１４，２４、制御部３１、および受信合成処理部３２を有している。図の無線端末は、例えば、携帯電話であり、基地局と無線通信を行う。なお、アンテナ１１、ＲＦ１２、Ａ／Ｄ１３、および受信処理部１４を受信ブランチＡと呼ぶ。また、アンテナ２１、ＲＦ２２、Ａ／Ｄ２３、および受信処理部２４を受信ブランチＢと呼ぶ。【００４５】
ＲＦ１２，２２は、アンテナ１１，２１によって受信される無線信号の、所定の周波数の無線信号を受信する。
Ａ／Ｄ１３，２３は、ＲＦによって受信された無線信号をアナログ−デジタル変換する。【００４６】
受信処理部１４，２４は、無線端末が基地局と通信する通信方式に従って、Ａ／Ｄ１３，２３から出力される信号の受信処理を行う。例えば、受信処理部１４，２４は、フレームの先頭であるタイミング結果、ＳＩＲなどのレベル測定結果、データの復調結果などを含む受信信号を出力する。通信方式がＷ−ＣＤＭＡであった場合には、Ｗ−ＣＤＭＡの通信方式に従った受信処理を行い、通信方式がＧＳＭであった場合には、ＧＳＭの通信方式に従った受信処理を行う。【００４７】
制御部３１は、ＲＦ１２，２２が受信する無線信号の周波数を制御する。例えば、無線端末が２ＧＨｚ帯の無線信号を受信する場合、制御部３１は、２ＧＨｚ帯の無線信号を受信できるようにＲＦ１２，２２を制御する。【００４８】
制御部３１は、ＲＦ１２，２２の周波数を独立に制御することができる。例えば、ＲＦ１２の周波数を８００ＭＨｚ帯、ＲＦ２２の周波数を１．７ＧＨｚ帯と別々の周波数に制御することができる。【００４９】
また、制御部３１は、受信処理部１４，２４の受信処理する通信方式を制御する。例えば、無線端末がＷ−ＣＤＭＡの通信方式による通信を行う場合、制御部３１は、Ｗ−ＣＤＭＡの通信方式に従った受信処理を行うように受信処理部１４，２４を制御する。【００５０】
制御部３１は、受信処理部１４，２４の通信方式を独立に制御することができる。例えば、受信処理部１４の通信方式をＷ−ＣＤＭＡ、受信処理部２４の通信方式をＧＳＭと別々の通信方式に制御することができる。【００５１】
受信合成処理部３２は、受信処理部１４，２４から出力される受信信号の位相が揃うように調整し、合成する。すなわち、受信合成処理部３２は、受信ブランチＡの受信信号と、受信ブランチＢの受信信号とを合成し、受信信号の受信感度を高める。【００５２】
次に、図２の無線端末の通話中におけるレベル測定の動作について説明する。無線端末は、通話中、コンプレスモードにて、異周波および異通信方式におけるレベル測定を行っている。【００５３】
図３は、コンプレストモードにおける無線端末のレベル測定の動作を説明する図である。図には、受信ブランチＡにおけるレベル測定と受信ブランチＢにおけるレベル測定とにおける無線端末の動作が示してある。時間軸ｔは図の右方向を向いている。【００５４】
無線端末は、周波数ｆ０Ｈｚ帯で基地局と通信を行っているとする。無線端末は、図に示すコンプレストモードのギャップ区間Ｃ１に入ると、異周波のレベル測定を行うため、受信ブランチＡおよび受信ブランチＢの受信する周波数を切替える。【００５５】
例えば、制御部３１は、周波数ｆ１Ｈｚ帯の無線信号を受信できるように、ＲＦ１２の受信周波数をｆ１Ｈｚ帯に切替える。また、周波数ｆ２Ｈｚ帯の無線信号を受信できるように、ＲＦ２２の受信周波数をｆ２Ｈｚ帯に切替える。【００５６】
受信処理部１４，２４は、ＲＦ１２，２２の周波数ｆ１，ｆ２Ｈｚ帯の引き込みが終わると、周波数ｆ１，ｆ２Ｈｚ帯の信号におけるレベル測定を行う。
コンプレストモードのギャップ区間Ｃ１でのレベル測定が終わると、制御部３１は、図に示すように、元の周波数ｆ０Ｈｚ帯に戻すため、ＲＦ１２，２２の受信周波数を周波数ｆ０Ｈｚ帯に切替える。これにより、無線端末は、周波数ｆ０Ｈｚ帯で基地局と無線通信を行う。【００５７】
次のコンプレストモードのギャップ区間Ｃ２に入ると、制御部３１は、受信ブランチＢで周波数ｆ１Ｈｚ帯の周波数の信号を受信できるように、ＲＦ２２の受信周波数をｆ１Ｈｚ帯に切替える。また、受信ブランチＡで周波数ｆ２Ｈｚ帯の周波数の信号を受信できるように、ＲＦ１２の受信周波数をｆ２Ｈｚ帯に切替える。【００５８】
すなわち、制御部３１は、前回のコンプレストモードのギャップ区間Ｃ１とは、受信ブランチＡおよび受信ブランチＢで異なる周波数の無線信号が受信されるようにＲＦ１２，２２を制御する。そして、受信処理部１４，２４は、周波数ｆ１，ｆ２Ｈｚ帯の引き込みが終わると、周波数ｆ１，ｆ２Ｈｚ帯の信号におけるレベル測定を行う。【００５９】
コンプレストモードのギャップ区間Ｃ２でのレベル測定が終わると、図に示すように、元の周波数ｆ０Ｈｚ帯に戻すため、制御部３１は、ＲＦ１２，２２の受信周波数を周波数ｆ０Ｈｚ帯に切替える。これにより、無線端末は、周波数ｆ０Ｈｚ帯で基地局と無線通信を行う。【００６０】
受信合成処理部３２は、最初のコンプレストモードのギャップ区間Ｃ１で測定した受信ブランチＡの周波数帯ｆ１Ｈｚのレベル測定と、次のコンプレストモードのギャップ区間Ｃ２で測定した受信ブランチＢの周波数帯ｆ１Ｈｚのレベル測定との平均をとり、周波数帯ｆ１Ｈｚにおけるレベル測定値を算出する。また、最初のコンプレストモードのギャップ区間Ｃ１で測定した受信ブランチＢの周波数帯ｆ２Ｈｚのレベル測定と、次のコンプレストモードのギャップ区間Ｃ２で測定した受信ブランチＡの周波数帯ｆ２Ｈｚのレベル測定との平均をとり、周波数帯ｆ２Ｈｚにおけるレベル測定値を算出する。【００６１】
そして、レベル測定値が所定値より大きければ、基地局と無線通信する周波数帯を切替えることになる。
このように、無線端末は、図の両矢印Ｄ１，Ｄ２に示すように、コンプレストモードのギャップ区間Ｃ１において、異なる周波数ｆ１，ｆ２Ｈｚ帯の無線信号を受信する。また、図の両矢印Ｄ３，Ｄ４に示すように、コンプレストモードのギャップ区間Ｃ２において、異なる周波数ｆ１，ｆ２Ｈｚ帯の無線信号を受信する。これにより、レベル測定のサンプリングポイントが増加し、無線端末の移動による、実際のレベル測定の値との相違を抑制することができる。【００６２】
また、最初のコンプレストモードのギャップ区間Ｃ１では、両矢印Ｄ１，Ｄ２に示すように、受信ブランチＡで周波数帯ｆ１Ｈｚの信号を受信し、受信ブランチＢで周波数帯ｆ２Ｈｚの信号を受信する。そして、次のコンプレストモードのギャップ区間Ｃ２では、両矢印Ｄ３，Ｄ４に示すように、受信ブランチＡ，Ｂの周波数帯を入れ替え、受信ブランチＡで周波数帯ｆ２Ｈｚの信号を受信し、受信ブランチＢで周波数帯ｆ１Ｈｚの信号を受信する。これにより、各受信ブランチＡ，Ｂでのレベル測定値を平均化でき、適正なレベル測定値を得ることができる。【００６３】
次に、コンプレストモードのギャップ区間において、異なる通信方式のレベル測定を行う場合の動作について説明する。
図４は、異なる周波数帯域と異なる通信方式とでのレベル測定の動作を説明する図である。図には、受信ブランチＡにおけるレベル測定と受信ブランチＢにおけるレベル測定とにおける無線端末の動作が示してある。時間軸ｔは図の右方向を向いている。【００６４】
無線端末は、周波数ｆ０Ｈｚ帯で、Ｗ−ＣＤＭＡの通信を基地局と行っているとする。無線端末は、図に示すコンプレストモードのギャップ区間Ｃ１１に入ると、異なる通信方式でのレベル測定を行うため、ＲＦ１２，２２の受信周波数と、受信処理部１４，２４の受信処理する通信方式とを切替える。【００６５】
例えば、制御部３１は、受信ブランチＡにおいて、周波数ｆ１Ｈｚ帯の周波数の無線信号を受信できるように、ＲＦ１２を制御し、通信方式（図中システム）αの受信処理を行うように、受信処理部１４を制御する。また、受信ブランチＢにおいて、周波数ｆ２Ｈｚ帯の周波数の無線信号を受信できるように、ＲＦ２２を制御し、通信方式βの受信処理を行うように、受信処理部１４を制御する。【００６６】
受信処理部１４，２４は、周波数ｆ１，ｆ２Ｈｚ帯の引き込みが終わると、周波数ｆ１，ｆ２Ｈｚ帯の信号におけるレベル測定を行う。
コンプレストモードのギャップ区間Ｃ１１でのレベル測定が終わると、制御部３１は、図に示すように、周波数帯を元のｆ０に戻すため、ＲＦ１２，２２の周波数帯の切替えを行う。また、通信方式を元のＷ−ＣＤＭＡに戻すため、受信処理部１４，２４の通信方式の切替えを行う。これにより、無線端末は、Ｗ−ＣＤＭＡの周波数ｆ０Ｈｚ帯の無線通信を基地局と行う。【００６７】
次のコンプレストモードのギャップ区間Ｃ１２では、制御部３１は、受信ブランチＡで周波数ｆ２Ｈｚ帯および通信方式βの無線信号を受信できるように、ＲＦ１２および受信処理部１４を制御する。また、受信ブランチＢで周波数ｆ１Ｈｚ帯および通信方式αの無線信号を受信できるように、ＲＦ２２および受信処理部２４を制御する。【００６８】
すなわち、制御部３１は、前回のコンプレストモードのギャップ区間Ｃ１１とは、受信ブランチＡおよび受信ブランチＢで異なる周波数および異なる通信方式での無線信号が受信されるようにＲＦ１２，２２および受信処理部１４，２４を制御する。【００６９】
受信処理部１４，２４は、周波数ｆ１，ｆ２Ｈｚ帯の引き込みが終わると、周波数ｆ１，ｆ２Ｈｚ帯の信号におけるレベル測定を行う。
コンプレストモードのギャップ区間Ｃ１２でのレベル測定が終わると、制御部３１は、図に示すように、周波数帯を元のｆ０に戻すため、ＲＦ１２，２２の周波数帯の切替えを行う。また、通信方式を元のＷ−ＣＤＭＡに戻すため、受信処理部１４，２４の通信方式の切替えを行う。これにより、無線端末は、Ｗ−ＣＤＭＡの周波数ｆ０Ｈｚ帯の無線通信を基地局と行う。【００７０】
このように、通信方式においても、両矢印Ｄ１１，Ｄ１２、両矢印Ｄ１３，１４に示すように、コンプレストモードのギャップ区間Ｃ１１，Ｃ１２で異なるようにすることにより、レベル測定のサンプリングポイントが増加し、無線端末の移動による、実際のレベル測定の値との相違を抑制することができる。【００７１】
次に、コンプレストモードのギャップ区間において、異なる周波数帯域と異なる通信方式のレベル測定を行う場合の動作について説明する。
図５は、異なる周波数帯域と異なる通信方式とでのレベル測定の動作を説明する図である。図には、受信ブランチＡにおけるレベル測定と受信ブランチＢにおけるレベル測定とにおける無線端末の動作が示してある。時間軸ｔは図の右方向を向いている。【００７２】
無線端末は、周波数ｆ０Ｈｚ帯で、Ｗ−ＣＤＭＡの通信を行っているとする。無線端末は、図に示すコンプレストモードのギャップ区間Ｃ２１に入ると、受信ブランチＡでは通信方式はそのままで、受信信号の周波数帯をｆ０Ｈｚからｆ１Ｈｚに切替える。受信ブランチＢでは、受信信号の周波数帯をｆ０Ｈｚからｆ２Ｈｚに、通信方式をＷ−ＣＤＭＡとは異なる通信方式に切替える。【００７３】
例えば、制御部３１は、受信ブランチＡにおいて、周波数ｆ１Ｈｚ帯の周波数の無線信号を受信できるように、ＲＦ１２を制御する。なお、受信ブランチＡの通信方式は、そのままであるので、受信処理部１４の通信方式の切替えは行わない。【００７４】
また、受信ブランチＢにおいては、制御部３１は、周波数ｆ２Ｈｚ帯の無線信号を受信できるようにＲＦ２２を制御し、Ｗ−ＣＤＭＡとは異なる通信方式の受信処理を行うように受信処理部１４を制御する。【００７５】
受信ブランチＡ，Ｂでのレベル測定が終わると、図に示すように、元の周波数ｆ０Ｈｚ帯およびＷ−ＣＤＭＡの通信方式に戻すため、制御部３１は、ＲＦ１２，２２の周波数帯の切替えおよび受信処理部２４の通信方式の切替えを行う。これにより、無線端末は、周波数ｆ０Ｈｚ帯のＷ−ＣＤＭＡの無線通信を基地局と行う。【００７６】
次のコンプレストモードのギャップ区間Ｃ２２では、制御部３１は、受信ブランチＢで周波数ｆ１Ｈｚ帯の無線信号を受信できるように、ＲＦ２２を制御する。また、受信ブランチＡで周波数ｆ２Ｈｚ帯およびＷ−ＣＤＭＡとは異なる通信方式の無線信号を受信できるように、ＲＦ１２および受信処理部１４を制御する。【００７７】
すなわち、制御部３１は、前回のコンプレストモードのギャップ区間Ｃ１２とは、受信ブランチＡおよび受信ブランチＢで異なる周波数および異なる通信方式での無線信号が受信されるようにＲＦ１２，２２および受信処理部１４，２４を制御する。【００７８】
コンプレストモードのギャップ区間Ｃ２２でのレベル測定が終わると、制御部３１は、元の周波数ｆ０Ｈｚ帯およびＷ−ＣＤＭＡの通信方式に戻すように、ＲＦ１２，２２および受信処理部１４，２４を制御する。これにより、無線端末は、Ｗ−ＣＤＭＡの周波数ｆ０Ｈｚ帯の無線通信を基地局と行う。【００７９】
このように、異なる周波数帯域と異なる通信方式でのレベル測定においても、両矢印Ｄ２１，Ｄ２２、両矢印Ｄ２３，２４に示すように、サンプリングポイントが増加し、無線端末の移動による、実際のレベル測定の値との相違を抑制することができる。【００８０】
次に、無線端末の待ち受け時におけるレベル測定の動作について説明する。
図６は、無線端末の待ち受け時におけるレベル測定の動作を説明する図である。図には、受信ブランチＡにおけるレベル測定と受信ブランチＢにおけるレベル測定とにおける無線端末の動作が示してある。時間軸ｔは図の右方向を向いている。【００８１】
無線端末は、基地局と通話を開始した場合、周波数ｆ０Ｈｚ帯で基地局と通信を行うとする。無線端末は、図に示す待ち受けレベル測定区間Ｅ１，Ｅ２に入ると、異周波のレベル測定を行うため、受信ブランチＡおよび受信ブランチＢにおいて、受信する周波数を切替える。【００８２】
例えば、制御部３１は、周波数ｆ１Ｈｚ帯の周波数の信号を受信できるように、ＲＦ１２の受信周波数をｆ１Ｈｚ帯に切替える。また、周波数ｆ２Ｈｚ帯の周波数の信号を受信できるように、ＲＦ２２の受信周波数をｆ２Ｈｚ帯に切替える。【００８３】
受信処理部１４，２４は、周波数ｆ１，ｆ２Ｈｚ帯の引き込みが終わると、周波数ｆ１，ｆ２Ｈｚ帯の信号におけるレベル測定を行う。
次の待ち受けレベル測定区間Ｅ３，Ｅ４では、制御部３１は、受信ブランチＢで周波数ｆ１Ｈｚ帯の周波数の信号を受信できるように、ＲＦ２２の受信周波数をｆ１Ｈｚ帯に切替える。また、受信ブランチＡで周波数ｆ２Ｈｚ帯の周波数の信号を受信できるように、ＲＦ１２の受信周波数をｆ２Ｈｚ帯に切替える。【００８４】
すなわち、制御部３１は、前回の待ち受けレベル測定区間Ｅ１，Ｅ２とは、受信ブランチＡおよび受信ブランチＢで異なる周波数の無線信号が受信されるようにＲＦ１２，２２を制御する。【００８５】
このように、待ち受けレベル測定区間Ｅ１，Ｅ２、待ち受けレベル測定区間Ｅ３，Ｅ４、において、１度に２種類の周波数帯のレベル測定を行うので、レベル測定時間を短縮することができる。【００８６】
また、最初の待ち受けレベル測定区間Ｅ１，Ｅ２では、受信ブランチＡで周波数帯ｆ１Ｈｚの信号を受信し、受信ブランチＢで周波数帯ｆ２Ｈｚの信号を受信する。そして、次の待ち受けレベル測定区間Ｅ３，Ｅ４では、受信ブランチＡ，Ｂの周波数帯を入れ替え、受信ブランチＡで周波数帯ｆ２Ｈｚの信号を受信し、受信ブランチＢで周波数帯ｆ２Ｈｚの信号を受信する。これにより、各受信系でのレベル測定値を平均化でき、適正なレベル測定値を得ることができる。【００８７】
なお、図の両矢印Ｆ１は、待ち受けレベル測定期間の周期を示している。Ｗ−ＣＤＭＡの場合、待ち受けレベル測定期間の周期は、２．５６秒となる。
次に、待ち受けレベル測定区間において、異なる通信方式のレベル測定を行う場合の動作について説明する。【００８８】
図７は、異なる通信方式でのレベル測定の動作を説明する図である。図には、受信ブランチＡにおけるレベル測定と受信ブランチＢにおけるレベル測定とにおける無線端末の動作が示してある。時間軸ｔは図の右方向を向いている。【００８９】
無線端末は、現在、通信方式がＷ−ＣＤＭＡとなっており、通話を開始した場合、基地局とＷ−ＣＤＭＡの通信を行うものとする。無線端末は、図に示す待ち受けレベル測定区間Ｅ１１，Ｅ１２に入ると、異なる通信方式でのレベル測定を行うため、ＲＦ１２，２２の受信周波数と、受信処理部１４，２４の受信処理する通信方式とを切替える。【００９０】
例えば、制御部３１は、受信ブランチＡにおいて、周波数ｆ１Ｈｚ帯の周波数の無線信号を受信できるように、ＲＦ１２を制御し、通信方式αの受信処理を行うように、受信処理部１４を制御する。また、受信ブランチＢにおいて、周波数ｆ２Ｈｚ帯の周波数の無線信号を受信できるように、ＲＦ２２を制御し、通信方式βの受信処理を行うように、受信処理部１４を制御する。【００９１】
次の待ち受けレベル測定区間Ｅ１３，Ｅ１４では、制御部３１は、受信ブランチＢで周波数ｆ１Ｈｚ帯および通信方式αの無線信号を受信できるように、ＲＦ２２および受信処理部２４を制御する。また、受信ブランチＡで周波数ｆ２Ｈｚ帯および通信方式βの無線信号を受信できるように、ＲＦ１２および受信処理部１４を制御する。【００９２】
すなわち、制御部３１は、前回の待ち受けレベル測定区間Ｅ１１，Ｅ１２とは、受信ブランチＡおよび受信ブランチＢで異なる通信方式での無線信号が受信されるようにＲＦ１２，２２および受信処理部１４，２４を制御する。【００９３】
なお、異なる通信方式では、待ち受け受信の周期も異なる。従って、図の両矢印Ｆ１１，１２に示すように、通信方式αの待ち受けレベル測定周期と通信方式βの待ち受けレベル測定時間は、異なる場合がある。【００９４】
このように、異なる通信方式のレベル測定を行う場合でも、レベル測定時間を短縮することができる。
次に、待ち受けレベル測定区間において、異なる周波数帯域と異なる通信方式のレベル測定とを行う場合の動作について説明する。【００９５】
図８は、異なる周波数帯域と異なる通信方式とでのレベル測定の動作を説明する図である。図には、受信ブランチＡにおけるレベル測定と受信ブランチＢにおけるレベル測定とにおける無線端末の動作が示してある。時間軸ｔは図の右方向を向いている。【００９６】
無線端末は、現在、通信方式がＷ−ＣＤＭＡとなっており、通話を開始した場合、基地局とＷ−ＣＤＭＡの通信を行うとする。無線端末は、受信ブランチＡにおいて、図に示す待ち受けレベル測定区間Ｅ２１に入ると、現在の周波数帯とは異なる周波数帯でＷ−ＣＤＭＡの通信方式のレベル測定を行う。また、受信ブランチＢにおいて、図に示す待ち受けレベル測定区間Ｅ２２に入ると、Ｗ−ＣＤＭＡとは異なる通信方式のレベル測定を行う。【００９７】
例えば、制御部３１は、受信ブランチＡにおいて、周波数ｆ１Ｈｚ帯の周波数の無線信号を受信できるように、ＲＦ１２を制御する。受信ブランチＡの通信方式は、そのままであるので、受信処理部１４の通信方式の切替えは行わない。【００９８】
また、受信ブランチＢにおいては、周波数ｆ２Ｈｚ帯の周波数の無線信号を受信できるように、ＲＦ２２を制御し、Ｗ−ＣＤＭＡとは異なる通信方式の受信処理を行うように、受信処理部１４を制御する。【００９９】
次の受信ブランチＡでの待ち受けレベル測定区間Ｅ２３では、制御部３１は、周波数ｆ２Ｈｚ帯でＷ−ＣＤＭＡとは異なる通信方式の無線信号を受信できるように、ＲＦ１２および受信処理部１４を制御する。また、受信ブランチＢでの待ち受けレベル測定区間Ｅ２４では、周波数ｆ１Ｈｚ帯の無線信号を受信できるように、ＲＦ１２を制御する。【０１００】
すなわち、制御部３１は、前回の待ち受けレベル測定区間Ｅ２１とは、受信ブランチＡおよび受信ブランチＢで異なる周波数および異なる通信方式での無線信号が受信されるようにＲＦ１２，２２および受信処理部１４，２４を制御する。【０１０１】
なお、両矢印Ｆ２１は、Ｗ−ＣＤＭＡの待ち受けレベル測定周期を示す。Ｗ−ＣＤＭＡの待ち受けレベル測定周期は、２．５６秒である。また、両矢印Ｓ２２は、異システムの待ち受けレベル測定周期を示す。【０１０２】
このように、異なる周波数帯域と異なる通信方式でのレベル測定においても、レベル測定時間を短縮することができる。
次に、無線端末の動作についてフローチャートを用いて説明する。【０１０３】
図９は、コンプレストモードのギャップ区間での無線端末の動作を示したフローチャートである。無線端末は、例えば、基地局からの要求により、指定されたタイミング、ギャップ長、ギャップ周期で以下の処理を実行する。【０１０４】
［ステップＳ１］無線端末は、受信ダイバーシティの機能をオフする。
［ステップＳ２ａ，３ａ］無線端末は、異周波数のレベル測定するための周波数設定を行う。無線端末は、受信ブランチＡ，Ｂ（図中Ａ系、Ｂ系）でそれぞれ別々の周波数帯を設定する。【０１０５】
［ステップＳ３ａ，３ｂ］無線端末は、周波数設定された周波数帯の引き込みを行う。
［ステップＳ４ａ，４ｂ］無線端末は、周波数帯の引き込みが完了すると、受信ブランチＡ，Ｂのレベル測定を行う。【０１０６】
［ステップＳ５ａ，５ｂ］無線端末は、通話中の周波数帯（元の周波数帯）に戻すための周波数設定を行う。
［ステップＳ６ａ，６ｂ］無線端末は、無線信号の受信周波数を元の周波数帯に引き込む。【０１０７】
［ステップＳ７］無線端末は、受信ダイバーシティをオンにする。これにより、ダイバーシティ機能による無線信号の受信が行われる。
なお、次のコンプレストモードのギャップ区間では、受信ブランチＡと受信ブランチＢの受信周波数とが入れ替わる。また、上記のフローチャートに示していないが、異通信システムのレベル測定を行う場合、端末は、受信する信号の周波数設定を行うとともに、受信処理する通信方式を切替える。【０１０８】
図１０は、待ち受けレベル測定区間での無線端末の動作を示したフローチャートである。無線端末は、ソフトウェアにより、例えば、５秒ごとにレベル測定結果を通知するように命令されると、それに合わせて周期的に以下の処理を実行する。【０１０９】
［ステップＳ１１ａ，１１ｂ］無線端末は、異周波数のレベル測定をするための周波数設定を行う。無線端末は、受信ブランチＡ，Ｂ（図中Ａ系、Ｂ系）でそれぞれ別々の周波数帯を設定する。【０１１０】
［ステップＳ１２ａ，１２ｂ］無線端末は、周波数設定された周波数帯の引き込みを行う。
［ステップＳ１３ａ，１３ｂ］無線端末は、受信ブランチＡ，Ｂでのレベル測定を行う。【０１１１】
なお、次の待ち受けレベル測定区間では、受信ブランチＡと受信ブランチＢの受信周波数が入れ替わる。また、上記のフローチャートに示していないが、異通信システムのレベル測定を行う場合、端末は、受信する信号の周波数設定を行うとともに、受信処理する通信方式を切替える。【０１１２】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１１３】
１ａ，１ｂ  受信手段
２  制御手段
３ａ，３ｂ  受信ブランチ
４ａ，４ｂ  周波数遷移
５ａ，５ｂ  ギャップ区間
【図１】
0004806024.tif 000002
【図２】
0004806024.tif 000003
【図３】
0004806024.tif 000004
【図４】
0004806024.tif 000005
【図５】
0004806024.tif 000006
【図６】
0004806024.tif 000007
【図７】
0004806024.tif 000008
【図８】
0004806024.tif 000009
【図９】
0004806024.tif 000010
【図１０】
0004806024.tif 000011
【図１１】
0004806024.tif 000012
【図１２】
0004806024.tif 000013
【図１３】
0004806024.tif 000014